(57)【要約】【課題】  既存のアンテナ装置をアンテナ本体として使用して当該アンテナ本体をプロテクトすること。【解決手段】  プロテクタ付きアンテナ装置（１００）は、アンテナケース（１１）を含むアンテナ本体（１０）と、このアンテナケースから外部へ引き出されるケーブル（４０）と、アンテナ本体およびケーブルの外形に対応した形状を持つプロテクタ（５０）とを備える。このように、プロテクタ付きアンテナ装置（１００）は、アンテナ本体（１０）およびケーブル（４０）の外形に対応した形状を持つプロテクタ（５０）を備えているので、既存のアンテナ装置をアンテナ本体として使用することができる。【選択図】      図１
2006237702.tif 000002
【特許請求の範囲】
【請求項１】
移動体の屋根に取り付けられるプロテクタ付きアンテナ装置であって、
アンテナモジュールを内蔵したアンテナケースを含むアンテナ本体と、
前記アンテナケースから外部へ引き出されるケーブルと、
前記アンテナ本体および前記ケーブルの外形に対応した形状を持ち、前記アンテナ本体を前記移動体の屋根に設置するためのプロテクタと
を備えたプロテクタ付きアンテナ装置。
【請求項２】
前記プロテクタは、前記アンテナケースの底面および該底面の縁を覆う断面略Ｕ字形のアンテナ設置部と、該アンテナ設置部に一体に成形されて前記ケーブルを保護するケーブル保護部とを有する、請求項１に記載のプロテクタ付きアンテナ装置。
【請求項３】
前記アンテナ設置部と前記アンテナケースの底面とを接着するための接着シートを更に有する、請求項２に記載のプロテクタ付きアンテナ装置。
【請求項４】
前記プロテクタを前記移動体の屋根に貼り付ける両面粘着シートを更に有する、請求項１乃至３のいずれか１つに記載のプロテクタ付きアンテナ装置。
【請求項５】
前記プロテクタの縁部において、前記両面粘着シートが貼り付けられる面から下方へ延長された延長部分を有する、請求項４に記載のプロテクタ付きアンテナ装置。
【請求項６】
前記アンテナ本体は、当該アンテナ本体を前記移動体の屋根に磁気吸着するための永久磁石を更に含む、請求項１乃至５のいずれか１つに記載のプロテクタ付きアンテナ装置。
【請求項７】
アンテナモジュールを内蔵したアンテナケースを含むアンテナ本体と、前記アンテナケースから引き出されるケーブルと、をプロテクトするアンテナプロテクタあって、
前記アンテナケースの底面および該底面の縁を覆う断面略Ｕ字形のアンテナ設置部と、
該アンテナ設置部に一体に成形されて前記ケーブルを保護するケーブル保護部と
を備えたアンテナプロテクタ。
【請求項８】
前記アンテナプロテクタの縁部において、両面粘着シートが貼り付けられる面から下方へ延長された延長部分を有する、請求項７に記載のアンテナプロテクタ。
【発明の詳細な説明】
【技術分野】
【０００１】
本発明は、自動車等の移動体の屋根に取り付けられるアンテナ装置に関し、特に、人工衛星からの電波（以下「衛星波」とも呼ぶ。）または地上での電波（以下「地上波」とも呼ぶ。）を受信してデジタルラジオ放送を聴取することが可能なデジタルラジオ受信機用のプロテクタ付きアンテナ装置及びアンテナプロテクタに関する。
【背景技術】
【０００２】
近年、衛星波または地上波を受信して、デジタルラジオ放送を聴取可能にしたデジタルラジオ受信機が開発され、米国において実用化されている。このデジタルラジオ受信機は、自動車等の移動体に搭載され、周波数が約２．３ＧＨｚ帯の電波を受信してラジオ放送を聴取することが可能である。すなわち、デジタルラジオ受信機は、モバイル放送を聴取することが可能なラジオ受信機である。受信電波の周波数が約２．３ＧＨｚ帯なので、そのときの受信波長（共振波長）λは約１２８．３ｍｍである。尚、地上波は、衛星波を一旦、地球局で受信した後、周波数を若干シフトし、直線偏波で再送信したものである。
【０００３】
デジタルラジオ受信機を自動車等の移動体に搭載する場合には、そのアンテナ装置を移動体の屋根に取り付けなければならない。
【０００４】
移動体の屋根にアンテナ装置を取り付けるために、プロテクタを備えたアンテナ装置が従来から知られている。
【０００５】
従来のプロテクタ付きアンテナ装置においては、それ専用に新規のアンテナ部品を作製して、アンテナ装置を設計変更して製造している。換言すれば、プロテクタを取り付けることが出来るようにアンテナ本体を構成する複数のアンテナ部品を設計変更し、その設計変更した複数のアンテナ部品とプロテクタを構成する複数のプロテクタ部品とを組合わせることによって、プロテクタ付きアンテナ装置を製造している。
【０００６】
尚、プロテクタを備えていないアンテナ装置として、デジタルラジオ受信機用ではないが、ＧＰＳ（Global Positioning System）信号を受信するためのＧＰＳ受信機用のアンテナ装置が知られている（例えば、特許文献１参照）。ここで、デジタルラジオ受信機用のアンテナ装置とＧＰＳ受信機用のアンテナ装置とは、受信する電波の周波数や放射パターン（アンテナ特性）が若干異なるだけであるので、それらは互いに同様の構成を有し、それらの外形も互いに同様となることに注意されたい。
【０００７】
【特許文献１】特開２００１−６８９１２号公報
【発明の開示】
【発明が解決しようとする課題】
【０００８】
上述したように、従来のプロテクタ付きアンテナ装置では、それ専用にアンテナ装置（アンテナ本体）を設計変更して製造しなければならず、経費と時間がかかるという問題がある。
【０００９】
したがって、本発明の課題は、既存のアンテナ装置をアンテナ本体として使用して当該アンテナ本体をプロテクトできるプロテクタ付きアンテナ装置を提供することにある。
【００１０】
本発明の他の課題は、アンテナ装置をプロテクトするためのアンテナプロテクタを提供することにある。
【課題を解決するための手段】
【００１１】
本発明によれば、移動体の屋根に取り付けられるプロテクタ付きアンテナ装置（１００）であって、アンテナモジュール（１７，１８，１９）を内蔵したアンテナケース（１１）を含むアンテナ本体（１０）と、前記アンテナケースから外部へ引き出されるケーブル（４０）と、前記アンテナ本体および前記ケーブルの外形に対応した形状を持ち、前記アンテナ本体を前記移動体の屋根に設置するためのプロテクタ（５０）とを備えたプロテクタ付きアンテナ装置が得られる。
【００１２】
上記プロテクタ付きアンテナ装置（１００）において、前記プロテクタ（５０）は、例えば、前記アンテナケースの底面および該底面の縁を覆う断面略Ｕ字形のアンテナ設置部（５２）と、該アンテナ設置部に一体に成形されて前記ケーブルを保護するケーブル保護部（５４）とから構成されて良い。プロテクタ付きアンテナ装置（１００）は、前記アンテナ設置部と前記アンテナケースの底面とを接着する接着シート（６０）を更に有しても良い。プロテクタ付きアンテナ装置（１００）は、前記プロテクタを前記移動体の屋根に貼り付ける両面粘着シート（７０）を更に有しても良い。この場合、前記プロテクタの縁部において、前記両面粘着シートが貼り付けられる面から下方へ延長された延長部分を有することが好ましい。前記アンテナ本体（１０）は、当該アンテナ本体を前記移動体の屋根に磁気吸着するための永久磁石（２７，２８）を更に含んでも良い。
【００１３】
又、本発明によれば、アンテナモジュール（１７，１８，１９）を内蔵したアンテナケース（１１）を含むアンテナ本体（１０）と、前記アンテナケースから引き出されるケーブル（４０）と、をプロテクトするアンテナプロテクタ（５０）あって、前記アンテナケースの底面および該底面の縁を覆う断面略Ｕ字形のアンテナ設置部（５２）と、該アンテナ設置部に一体に成形されて前記ケーブルを保護するケーブル保護部（５４）とを備えたアンテナプロテクタが得られる。
【００１４】
上記アンテナプロテクタ（５０）において、前記アンテナプロテクタの縁部において、両面粘着シートが貼り付けられる面から下方へ延長された延長部分を有することが好ましい。
【００１５】
尚、上記括弧内の符号は、本発明の理解を容易にするために付したものであり、一例にすぎず、これらに限定されないのは勿論である。
【発明の効果】
【００１６】
本発明では、プロテクタ付きアンテナ装置はアンテナ本体およびケーブルの外形に対応した形状を持つプロテクタを備えているので、既存のアンテナ装置をアンテナ本体として使用することができるという効果を奏する。
【発明を実施するための最良の形態】
【００１７】
以下、図面を参照して、本発明の実施の形態について詳細に説明する。
【００１８】
図１を参照して、本発明の一実施の形態に係るプロテクタ付きアンテナ装置１００について説明する。図示のプロテクタ付きアンテナ装置１００は、デジタルラジオ受信機用のアンテナ装置であって、自動車等の移動体の屋根に取り付けて使用される。
【００１９】
プロテクタ付きアンテナ装置１００は、アンテナ本体１０と、ケーブル４０と、プロテクタ（アンテナプロテクタ）５０と、接着シート６０と、両面粘着シート７０とを備えている。
【００２０】
アンテナ本体１０は、既存のアンテナ装置であって、後述するように、アンテナモジュールを内蔵したアンテナケース１１を含む。ケーブル４０はアンテナケース１１から外部へ引き出される。プロテクタ５０は、アンテナ本体１０とケーブル４０とをプロテクトするためのものである。プロテクタ５０は、アンテナ本体１０およびケーブル４０の外形に対応した形状を有し、アンテナ本体１０を移動体の屋根に設置するためのものである。
【００２１】
このようにプロテクタ５０は、アンテナ本体１０およびケーブル４０の外形に対応した形状を有するので、既存のアンテナ装置をアンテナ本体１０として使用して当該アンテナ本体１０をプロテクトできる。
【００２２】
詳述すると、プロテクタ５０はアンテナ設置部５２とケーブル保護部５４とを有する。アンテナ設置部５２は、アンテナケース１１の底面およびこの底面の縁を覆うためのもので、断面略Ｕ字形をしている。ケーブル保護部５４は、このアンテナ設置部５２に一体に成形されており、ケーブル４０を保護するためのものである。接着シート６０は、アンテナ設置部５２とアンテナケース１１の底面とを接着するためのものである。両面粘着シート７０は、プロテクタ５０を移動体の屋根に貼り付けるためのものである。
【００２３】
アンテナ設置部５２は、アンテナ本体１０の底面と対応した形状を有する底面部５２１と、該底面部５２１の外周縁から立設してアンテナ本体１０の底面の縁を覆う環状の枠部５２２とから構成されている。
【００２４】
尚、両面粘着シート７０には保護シート７２が貼り付けられている。この保護シート７２は、両面粘着シート７０と実質的に同一形状で、かつ両面粘着シート７０全体を覆う保護部分（図示せず）と、この保護部分から延在する舌片部分７２１とから成る。従って、人がこの舌片部分７２１を把持して保護シート７２を両面粘着シート７０から剥がすことにより、両面粘着テープ７０を露出させて、この両面粘着シート７０によってプロテクタ付きアンテナ装置１００を移動体の屋根に貼り付けることができる。
【００２５】
本実施の形態では、アンテナ本体１０として、前述した特許文献１に開示されたものと同様な構成を有する既存のアンテナ装置を使用する。
【００２６】
図２及び図３を参照して、アンテナ本体（アンテナ装置）１０について説明する。アンテナケース１１はドーム状のトップカバー（上ケース）１１−１とボトムプレート（下ケース）１１−２とが接合されて構成される。トップカバー１１−１の内部に後述するアンテナモジュールが収容される。トップカバー１１−１は、四辺の一つにケーブル４０が挿通される逆Ｕ字形の溝１６が設けられている。
【００２７】
アンテナモジュールは、アンテナエレメント１７と回路基板１８とシールドケース１９とを有する。アンテナエレメント１７には、衛星波又は地上波を受信するアンテナが形成されている。回路基板１８には、このアンテナエレメント１７によって受信した信号に対して信号増幅などの各種信号処理を施す回路（以下、信号処理回路と呼ぶ）が形成されている。アンテナエレメント１７と回路基板１８とは、両面テープ（図示せず）などによって接合されている。
【００２８】
回路基板１８には、受信信号をアンテナケース１１の外部に取り出すためのケーブル４０が接続される。また、回路基板１８には、アンテナエレメント１７が配置された側とは反対側の主面に、上記信号処理回路をシールドするためのシールドケース１９が取り付けられている。
【００２９】
アンテナ本体１０は、トップカバー１１−１の内部に、上記アンテナモジュール、ゴム脚１４を有するゴムパッキング２０、ケーブル４０の取付部をシールするシール部材２１、およびボトムプレート１１−２が収納されるように構成される。
【００３０】
ボトムプレート１１−２は、ステンレス鋼等の磁性材料から成るプレス加工したものであり、磁石取付部２９が一体化されている。また、ボトムプレート１１−２は、四本のビス２３がトップカバー１１−１に螺合することによりトップカバー１１−１の底部開口を閉塞するように取り付けられる。そして、組立時には、ボトムプレート１１−２がトップカバー１１−１の底部にビス２３により螺着される。磁石取付部２９には、自動車の車体に磁気吸着される一対の永久磁石２７、２８が取り付けられる。
【００３１】
磁石取付部２９は、永久磁石２７、２８の寸法形状に対応して形成されている。永久磁石２７、２８が取り付けられたとき、磁石取付部２９はバックヨークとして働き、永久磁石２７、２８による磁気吸着力を高めるようになっている。
【００３２】
ボトムプレート１１−２は、ゴムパッキング２０に当接する四角形のシート部２４を有する。ボトムプレート１１−２は、シート部２４の外側に設けられた四個の挿通孔（図示せず）を持ち、これら挿通孔にビス２３が挿通される。また、ボトムプレート１１−２は、シート部２４の外側の四隅に設けられた挿通孔（図示せず）を持ち、これら挿通孔にゴム脚１４が挿通される。
【００３３】
さらに、ボトムプレート１１−２は、シール部材２１が当接する部分に、シート部２４と平行に形成された凸部３１と、ケーブル４０を所定高さに支持する支持部３２と、を備えている。凸部３１は、シート部２４と共にゴムパッキング２０のケーブル４０が挿通された部分を押圧してケーブル４０に対するシール効果を高めるように作用する。
【００３４】
上述したように、本実施の形態に係るプロテクタ付きアンテナ装置１００は、
アンテナ本体１０及びケーブル４０の外形に対応した形状を有するプロテクタ５０を備えているので、アンテナ本体１０として既存のアンテナ装置を使用することが出来る。その結果、従来のプロテクタ付きアンテナ装置のように、新規にそれ専用の複数のアンテナ部品を製作する必要がない。
【００３５】
図１に戻って、接着シート６０は、ゴム脚１４が挿通される挿通孔６０ａを持つ。また、アンテナ装着部５２も、ゴム脚１４が挿通される挿入穴５２ａを持つ。
【００３６】
図４に図１に示したプロテクタ付きアンテナ装置１００を底面側から見た斜視図を示す。
【００３７】
図１に加えて図４をも参照して、プロテクタ５０は、第１及び第２の水抜き用穴５０ａ，５０ｂを持つ。第１の水抜き用穴５０ａは、プロテクタ５０の底面にケーブル４０に沿って形成されている。第２の水抜き用穴５０ｂは、アンテナ設置部５２の底面部５２１に、接着シート６０及び両面粘着シート７０の外側に３箇所形成されている。尚、本例では、第２の水抜き用穴５０ｂがアンテナ設置部５２の底面部５２１に３箇所だけ形成されているが、第２の水抜き用穴５０ｂの個数はこれに限定されず任意の数であって良い。
【００３８】
両面粘着シート７０には、第１の水抜き用穴５０ａに対応し、かつ第１の水抜き用穴５０ａの形状よりも若干大きい形状を持つ矩形のスリット７０ａが形成されている。
【００３９】
図４に示されるように、プロテクタ（アンテナプロテクタ）５０は、環状の枠部５２２とケーブル保護部５４の縁部が下方へ延長された延長部分を有する。延長部分は両面粘着シート７０が貼り付けられる底面から下方に向かって突出した形状とされており、プロテクタ６０の外周縁部に沿って形成されている。これにより、両面粘着シート７０を隠し、外観上の美観を損なわず、さらに両面粘着シート７０の防塵保護をすることができる。
【００４０】
図５は、プロテクタ５０のケーブル保護部５４にケーブル４０を固定した状態を示す断面図である。ケーブル保護部５４は、ケーブル４０を固定するためのフック部５４ａを持つ。このフック部５４ａにより、ケーブル４０をケーブル保護部５４に対して容易に位置決めして固定することができる。
【００４１】
以上、本発明について好ましい実施の形態によって説明してきたが、本発明は上述した実施の形態に限定しないのは勿論である。例えば、上記実施の形態において説明したアンテナ装置は、デジタルラジオ受信機用のアンテナ装置に適しているが、これに限定される訳ではなく、ＧＰＳ信号受信用のアンテナ装置や、他の衛星波、地上波を受信するための移動体通信用のアンテナ装置としても適用可能である。
【図面の簡単な説明】
【００４２】
【図１】本発明の一実施の形態に係るプロテクタ付きアンテナ装置を示す分解斜視図である。
【図２】図１に示したプロテクタ付きアンテナ装置に使用されるアンテナ本体を示す分解断面図である。
【図３】図１に示したアンテナ本体の拡大断面図である。
【図４】図１に示したプロテクタ付きアンテナ装置を底面側から見た斜視図である。
【図５】図１のプロテクタ付きアンテナ装置に使用されるプロテクタのケーブル保護部にケーブルを固定した状態を示す断面図である。
【符号の説明】
【００４３】
１０    アンテナ本体（既存のアンテナ装置）
１１    アンテナケース
１７    アンテナエレメント
１８    回路基板
１９    シールドケース
２７，２８    永久磁石
４０    ケーブル
５０    プロテクタ（アンテナプロテクタ）
５２    アンテナ設置部
５４    ケーブル保護部
６０    接着シート
７０    両面粘着シート
【図１】
2006237702.tif 000003
【図２】
2006237702.tif 000004
【図３】
2006237702.tif 000005
【図４】
2006237702.tif 000006
【図５】
2006237702.tif 000007